(57)【要約】【課題】塗布液のフィラーやノロ等の異物により塗工用のバー表面を損傷する心配がなく、広幅であっても薄層塗付が精密に実現できるコンパクトなバー塗布ヘッド及びこれを用いたバー塗布装置を提供する。【解決手段】ロッドの表面に溝が螺旋状に形成されて成る回転可能な塗工用のバーを用い、給液側マニホールドの幅方向の一端側壁に、塗布液を給液側マニホールド及び排液側マニホールドの内部に供給する塗布液供給孔を設け、かつ、前記バーの回転により生じるスラスト力により前記給液側マニホールドの内部の塗布液を前記幅方向の一端側から他端側に送る方向に前記溝の形成方向を整合させて、前記バーを配置してバー塗布ヘッドを構成する。【選択図】図７
2011088098.tif 000002
【特許請求の範囲】
【請求項１】
ロッドの表面に溝が螺旋状に形成され、連続走行するウェブに塗布液を塗布する塗工用のバーと、基台に立設され、前記バーを回転自在に支持するバックアップと、前記バックアップの上流側及び下流側の前記基台に設けられ、夫々前記バックアップとの間に給液側マニホールド及び排液側マニホールドを形成する給液側コータブロック及び排液側コータブロックを具備して成るバー塗布ヘッドにおいて、前記給液側マニホールドの幅方向の一端側壁に塗布液を前記給液側マニホールド及び前記排液側マニホールドの内部に供給する塗布液供給孔を設け、かつ、前記バーの回転により生じるスラスト力により前記給液側マニホールド内の塗布液を前記幅方向の一端側から他端側に送る方向に前記溝の形成方向を整合させて、前記バーを配置して成ることを特徴とするバー塗布ヘッド。
【請求項２】
前記塗布液供給孔と実質的に同一の構成から成る少なくとも一つの第２の塗布液供給孔が、前記塗布液を送る方向に向けて、前記給液側マニホールドの給液側前壁に設けられていることを特徴とする請求項１に記載のバー塗布ヘッド。
【請求項３】
前記塗布液供給孔は前記給液側マニホールドの底壁付近に設けられていることを特徴とする請求項１又は２に記載のバー塗布ヘッド。
【請求項４】
前記給液側マニホールド又は前記排液側マニホールドの内部に、前記塗工用のバーと実質的に同一の構成から成る第２のバーが回転可能に設けられていることを特徴とする請求項１ないし３のいずれか１に記載のバー塗布ヘッド。
【請求項５】
前記給液側マニホールド及び前記排液側マニホールドの内部に、夫々前記塗工用のバーと実質的に同一の構成から成る第２のバー及び第３のバーが回転可能に設けられ、かつ、前記排液側マニホールドの内部の圧力が前記給液側マニホールドの内部の圧力より高く設定されていることを特徴とする請求項１ないし３のいずれか１に記載のバー塗布ヘッド。
【請求項６】
前記第２のバー及び／又は前記第３のバーは塗布時に前記塗工用のバーと連動して回転されることを特徴とする請求項４又は５に記載のバー塗布ヘッド。
【請求項７】
前記塗工用のバーは、ワイヤバー、転造バー、Ｄ−バー（オーエスジーシステムプロダクツ株式会社の製品名）の中のいずれかであることを特徴とする請求項１ないし６のいずれか１に記載のバー塗布ヘッド。
【請求項８】
前記塗布ヘッドはクローズドタイプであり、前記塗布液は溶剤タイプの塗布液であることを特徴とする請求項１ないし７のいずれか１に記載のバー塗布ヘッド。
【請求項９】
前記請求項１ないし８のいずれか１に記載のバー塗布ヘッドを組み込み、当該バー塗布ヘッドにより前記連続走行するウェブに前記塗布液を塗布するようにしたことを特徴とするバー塗布装置。
【発明の詳細な説明】
【技術分野】
【０００１】
本発明は、連続走行する広幅のプラスチックフィルムあるいは紙等の可撓性を有する支持体（以下、「ウェブ」という）に塗布液を塗工用のバーにより薄層かつ精密に塗布するバー塗布ヘッド及びそれを用いたバー塗布装置に関する。なお、本発明でいう広幅とは、塗布幅が３５００ｍｍ程度までのものを、薄層とは、ウエット膜厚が５μｍ以下のものを、また精密とは、前記薄層の塗膜にムラや異物等による傷が全くないものをいう。
【背景技術】
【０００２】
従来、塗布液を連続走行するウェブに塗布する装置として種々のタイプのものが公知であるが、その一つにバー塗布装置がある。このバー塗布装置として、例えば、特許文献１に開示されているように塗布ヘッドの塗工用のバーに転造バーを用いたもの、あるいは、特許文献２に開示されているように塗布ヘッドの塗工用のバーにワイヤバーを用いたものが知られている。
【０００３】
近年、ディスプレイ機器の高機能化が進み、これに伴い、反射防止膜や偏光膜等の薄層かつ精密な塗膜を有する光学機能フィルム、あるいは電子機器の保護膜に使用する薄層フィルム等の、高機能フィルムの需要が増大している。また、この高機能フィルムに対しては大サイズ化（例えば２０００〜３０００ｍｍ幅）に適応できる大面積のものが要求されている。
【０００４】
そこで、かかる薄層かつ精密な塗膜を有する高機能フィルムを作るため、最近では上述したバー塗布ヘッドを用いた塗布装置、中でも、ワイヤバー塗布ヘッドを用いた塗布装置が広く使用されるようになってきている。
【０００５】
図１は、このワイヤバー塗布装置に用いられるワイヤバー塗布ヘッド１００の一般的な構成を示す正面断面図である。すなわち、このワイヤバー塗布ヘッド１００は、ワイヤ１０１がロッド１０２に螺旋状に密着巻回され、表面にワイヤ１０１間による溝が螺旋状に形成されて成る塗工用のワイヤバー１０３と、基台１０４のウェブ走行方向中央部に立設され、ワイヤバー１０３を回転自在に支持するバックアップ１０５と、バックアップ１０５の上流側及び下流側に設けられ、夫々バックアップ１０５との間に給液側マニホールド１０６及び排液側マニホールド１０７を形成する給液側コータブロック１０８、排液側１０９とで構成されている。
【０００６】
給液側マニホールド１０６には塗布液供給孔１１０（後述するように特許文献２ではこの塗布液供給孔１１０は給液側マニホールド１０６の幅方向中央部に設けられている）から塗布液１１１が矢印で示すように内部に供給されており、ワイヤバー１０３の矢印Ｎ方向への回転によりこの塗布液１１１が給液側コータブロック１０８の先端部とワイヤバー１０３とで形成された間隙ｔ内を通り、ワイヤバー１０３のワイヤ１０１間に形成される毛細溝から毛細管現象により引き上げられ、この引き上げられた塗布液１１１がウェブ１１２に塗られる両面でビードとなって現れて必要量が塗布され、余剰の塗布液１１１が排液側マニホールド１０７に戻され、残りの余剰の塗布液１１１がワイヤバー塗布ヘッド１００の外側に流れるようになっている。
【０００７】
ここに、ワイヤバー１０３によって引き上げられる塗布液１１１の量は、ワイヤバー１０３のワイヤ１０１径により形成された毛細管の大きさ、引き上げられる塗布液１１１の特性、ワイヤバー１０３の回転速度、ウェブ１１３の走行速度等によって決定される。
【０００８】
このように構成されたワイヤバー塗布ヘッド１００を用いた塗布装置によれば、他の方式の塗布ヘッドを用いた塗布装置に較べ、取扱いが容易で速度ムラに対しても有利であり、また品質のよい塗膜が得られることから、従来、塗布幅が６００〜１８００ｍｍ程度の塗布に使用されてきている。
【０００９】
ところで、上述した高機能フィルムは、乾膜厚が０．２〜１μｍ、ウエット膜厚でも２〜３μｍと薄層であるため、必要な塗布液１１１は２〜３ｍｌ／ｍ２と少量であり、例えば塗布幅が３０００ｍｍとしても必要な塗布液１１１の量は１ｍ当り６〜９ｍｌ、塗布幅が３０００ｍｍで塗布速度が１００ｍ／分としても０．６〜０．９ｌ／分と非常に少ないのが実体である。
【００１０】
このような少量の塗布液１１１をワイヤバー１０３、とくに上述した大サイズ化に対応するべく広幅長大化されたワイヤバー１０３の幅方向全域に均質かつ均等に付与することは、塗布液１１１自体が有する次のような問題点をも考慮すると、極めて困難であった。
【００１１】
溶剤タイプの溶液は、一般の水溶液に較べ、流動性が悪く、流路が狭くなると少量の液では全幅に行き亘り難いことが確認されている。そのため、流路内に淀みができ、また溶剤の部分的な蒸発による濃度変化から凝集が発生してノロができたり、光学機能を上げるために塗布液１１１中に入れられたシリカ類や炭酸カルシュウム等のフィラーが凝集により大粒子化してワイヤ１０１の表面を損傷し、これにより精密な塗布ができなくなるという問題がある。
【００１２】
元来、このフィラーそのものは大きさが数μｍ程度のものであり、塗布液１１１中に均質に分散されている間はワイヤバー１０３に対し害を与えることは殆どない。従って、塗布液供給孔１１０から給液側マニホールド１０６に供給された塗布液１１１が凝集することなく全て均質のまま均等にワイヤバー１０３に送り出されるならばかかる問題は解消されるが、上述したように、薄層塗布では塗布液１１１の流量は極めて少量であるため、塗布液１１１の淀みが発生し易く、また凝集も起こり易いため、塗布液１１１を均質のまま均等にワイヤバー１０３に供給することは極めて困難であった。
【００１３】
また、一度、排液側マニホールド１０７の内部に回収された余剰の塗布液１１１は排液側マニホールド１０７内の新液と混じり合うが、ワイヤバー１０３とバックアップ１０５の間を通って給液側マニホールド１０６に移動する以外、殆ど滞留しているため、また、混合液は溶剤が多少蒸発して濃度が高くなっているため、凝集が起こり易く、フィラーの大粒子化も生じ、これがワイヤバー１０３とバックアップ１０５の間に入ってワイヤバー１０３を損傷していた。精密薄層塗布では、密着巻回されたワイヤ１０１間が２μｍ程度開くとスジムラ等が現れるが、大粒子化されたフィラーによる傷はこれを上回るものがあり、大きな問題となっていた。
【００１４】
なお、塗布液１１１が給液側マニホールド１０６の内部で滞留すると、上述したような塗布液１１１の凝集を生じることのみならず、後述するように、この滞留部分に塗布液１１１の濃度ムラを生じ、かかる塗布液１１１がウェブ１１２に塗布されると塗膜に塗布ムラを生じることが、本発明者によって究明されている。
【００１５】
上記実情に鑑み、当分野では凝集し難い塗布液１１１の研究も進められているようであるが、このような塗布液１１１、とくに高機能膜用の塗布液１１１の改良は簡単ではないというのが実情のようである。
【００１６】
そこで、従来、ワイヤバー１０３の損傷に対処するべく次のような種々の方策がとられてきている。
【００１７】
例えば、ワイヤ１０１の表面の損傷を防止する方策として、ワイヤ１０１の表面にＨＣｒ（ハードクロム）メッキ、あるいは、ＤＬＣ（ダイヤモンドライクカーボン）コーティングを施すことが提案されている。しかし、このような処理を施したワイヤバー１０３はかなり高価となり、このためワイヤバー塗布ヘッド１００自体、強いてはこれを用いたワイヤバー塗布装置全体の製造コストが大幅にアップするという問題があることから、ユーザーにはなかなか受け入れられなかった。
【００１８】
また、塗布液１１１を給液側マニホールド１０６の内部に均等に行き亘らせる方策として、塗布液供給孔１１０を、前述した特許文献２のような方式、すなわち図２（Ａ）に平面断面図で示すように、給液側マニホールド１０６の幅方向中央部の前壁に設ける方式の外、図２（Ｂ）に示すように、給液側マニホールド１０６の幅方向両端部の側壁に設ける方式、また図２（Ｃ）に示すように、給液側マニホールド１０６の幅方向の前壁に複数個設ける方式、さらにまた図３に正面断面図で示すように、塗布液供給孔１１０を給液側マニホールド１０６の幅方向の一端部の側壁に設けると共に、塗布液供給孔１１０付近では給液側マニホールド１０６では底壁を拡げて大面積とし、他端側に向けて面積が縮小されるように形成する方式等が採られている。
【００１９】
しかしながら、図２（Ａ）の方式では、塗布液１１１が塗布液供給孔１１０から給液側マニホールド１０６の内部に供給されると、後述するワイヤバー１０３の矢印Ｎ方向への回転に伴いワイヤ１０２と塗布液１１１の粘性抵抗により生じるスラスト力の作用方向Ｆと逆行する方向の塗布液供給孔１１０付近に、図示するような塗布液１１１の淀みＰができ易いこと、図２（Ｂ）の方式では、塗布液１１１がぶつかり合う給液側マニホールド１０６の幅方向の中央部付近に塗布液１１１の淀みＰができ易いこと、図２（Ｃ）の方式では、図２（Ａ）の方式と同様に、スラスト力の作用方向Ｆと逆行する方向の、各塗布液供給孔１１０付近に塗布液１１１の淀みＰができ易いこと、また、図３の方式では、スラスト力の作用方向Ｆと逆行する方向の、塗布液供給孔１１０の出口の下方に塗布液１１１の淀みＰができ易いこと等が、本発明者によって明らかにされている。
【００２０】
このような給液側マニホールド１０６の内部における塗布液１１１の淀みＰすなわち塗布液１１１の滞留は部分的な濃度ムラとなって現れ、また、この滞留箇所の塗布液１１１が経時と共に凝集してノロを生じ、さらにまた、上述したようにフィラーが硬度の高い大きな粒子と化すことにより、上述した問題は依然として解決されない状況にあった。
【００２１】
さらにまた、ワイヤバー塗布方式における、ウエット膜厚が５μｍ以下の薄層塗布特有の問題点として、ワイヤバー１０３と連続走行するウェブ１１２との接触面に、塗布液１１１が発泡して泡が付着し、これにより塗膜の品質が損なわれることがあげられる。この泡の発生のメカニズムにつき本発明者が考察した結果、次のような事実が究明されている。
【００２２】
すなわち、前述したように、このワイヤバー塗布ヘッド１００によれば、ワイヤバー１０３の矢印Ｎ方向への回転によりこの塗布液１１１が給液側コータブロック１０８の先端部とワイヤバー１０３とで形成された間隙ｔを通り、回転するワイヤバー１０３のロッド１０２に密着巻回されたワイヤ１０１間に形成される毛細溝から毛細管現象で引き上げられ、この引き上げられた塗布液１１１がウェブ１１２に塗られる両面でビードとなって現れて必要量が塗布され、余剰の塗布液１１１が排液側マニホールド１０７に戻されるが、このとき、排液側マニホールド１０７の内部ではワイヤバー１０３の回転により塗布液１１１が給液側にもっていかれるため、塗布液１１１が不足がち、すなわち排液側マニホールド１０７の内部の圧力が給液側マニホールド１０６の内部の圧力よりも低い状態になっており、余剰の塗布液１１１の一部が常に給液側マニホールド１０６の内部に引き込まれ易い状態となっているのが実体である。このため、ウエット膜厚の厚いワイヤバー塗布の場合には、余剰の塗布液１１１の一部のみが給液側マニホールド１０６の内部に引き込まれるが、このウエット膜厚が薄い場合には、排液側に流れる塗布液１１１の量が少なくなり、余剰の塗布液１１１が給液側マニホールド１０６の内部に引き込まれる際に余剰液表層部の空気と共に巻き込まれ、この空気層がワイヤバー１０３とバックアップ１０５の間を通り、給液側マニホールド１０６の内部にもっていかれる際に、塗布液１１１と混合して気泡を生じるものと考えられる。
【００２３】
なお、以上は、塗布ヘッドがワイヤバー塗布ヘッドである場合であるが、転造バー塗布ヘッドにおいても、塗工用の転造バーがロッドの表面に螺旋状の溝を有して成るもので、ワイヤバーと構成を共通し、かつ実質的に同一の作用効果を奏するものであることから、ワイヤバー塗布ヘッドと同様な問題点を有している。
【先行技術文献】
【特許文献】
【００２４】
【特許文献１】特開２００７−０６１７０９号公報
【特許文献２】特開２００７−３２６０８０号公報
【発明の概要】
【発明が解決しようとする課題】
【００２５】
本発明は、上述した実情に鑑みなされたもので、その目的とするところは、従来のバー塗布ヘッド及びこれを用いたバー塗布装置の有する上記欠点を除去し、塗布液の滞留により生じる塗布液の濃度ムラ、また、凝集ないし沈殿により生じるノロやフィラーの大粒子化等によるバー表面の損傷、さらには、塗布面における気泡の発生を夫々防止し、広幅であっても薄層塗付が精密に実現できるコンパクトなバー塗布ヘッド及びこれを用いたバー塗布装置を提供することにある。
【課題を解決するための手段】
【００２６】
本発明の上記目的は、ロッドの表面に溝が螺旋状に形成され、連続走行するウェブに塗布液を塗布する塗工用のバーと、基台に立設され、前記バーを回転自在に支持するバックアップと、前記バックアップの上流側及び下流側の前記基台に設けられ、夫々前記バックアップとの間に給液側マニホールド及び排液側マニホールドを形成する給液側コータブロック及び排液側コータブロックを具備して成るバー塗布ヘッドにおいて、前記給液側マニホールドの幅方向の一端側壁に塗布液を前記給液側マニホールド及び前記排液側マニホールドの内部に供給する塗布液供給孔を設け、かつ、前記バーの回転により生じるスラスト力により前記給液側マニホールド内の塗布液を前記幅方向の一端側から他端側に送る方向に前記溝の形成方向を整合させて、前記バーを配置して成ることを特徴とするバー塗布ヘッドを提供することにより達成される。
【００２７】
また、本発明の上記目的は、前記塗布液供給孔と実質的に同一の構成から成る少なくとも一つの第２の塗布液供給孔が、前記塗布液を送る方向に向けて、前記給液側マニホールドの給液側前壁に設けられていることを特徴とするバー塗布ヘッドを提供することにより効果的に達成される。
【００２８】
また、本発明の上記目的は、前記塗布液供給孔は前記給液側マニホールドの底壁付近に設けられていることを特徴とするバー塗布ヘッドを提供することにより効果的に達成される。
【００２９】
また、本発明の上記目的は、前記給液側マニホールド又は前記排液側マニホールドの内部に、前記塗工用のバーと実質的に同一の構成から成る第２のバーが回転可能に設けられていることを特徴とするバー塗布ヘッドを提供することにより効果的に達成される。
【００３０】
また、本発明の上記目的は、前記給液側マニホールド及び前記排液側マニホールドの内部に、夫々前記塗工用のバーと実質的に同一の構成から成る第２のバー及び第３のバーが回転可能に設けられ、かつ、前記排液側マニホールドの内部の圧力が前記給液側マニホールドの内部の圧力より高く設定されていることを特徴とするバー塗布ヘッドを提供することにより効果的に達成される。
【００３１】
また、本発明の上記目的は、前記第２のバー及び／又は前記第３のバーは塗布時に前記塗工用のバーと連動して回転されることを特徴とするバー塗布ヘッドを提供することにより効果的に達成される。
【００３２】
また、本発明の上記目的は、前記塗工用のバーは、ワイヤバー、転造バー、Ｄ−バー（オーエスジーシステムプロダクツ株式会社の製品名）の中のいずれかであることを特徴とするバー塗布ヘッドを提供することにより効果的に達成される。
【００３３】
また、本発明の上記目的は、前記塗布ヘッドはクローズドタイプであり、前記塗布液は溶剤タイプの塗布液であることを特徴とするバー塗布ヘッドを提供することにより効果的に達成される。
【００３４】
さらにまた、本発明の上記目的は、前記いずれか一つに記載のバー塗布ヘッドを組み込み、当該バー塗布ヘッドにより前記連続走行するウェブに前記塗布液を塗布するようにしたことを特徴とするバー塗布装置を提供することにより達成される。
前記塗布液供給孔と実質的に同一の構成から成る少なくとも一つの第２の塗布液供給孔が、前記塗布液を前記幅方向の一端側から他端側に送る方向に向けて、前記給液側マニホールドの給液側前壁に設けられていることを特徴とするバー塗布ヘッドを提供することにより効果的に達成される。
【００３５】
本発明者は、バー塗布において、ロッドの表面に螺旋状に形成された溝の形成方向（すなわち螺旋状の巻回方向）と溶液の挙動との関係につき、後述する実施例１のとおりの実験を行った結果、この塗工用のバーを溶液中で回転させると、ロッド表面に溝が螺旋状に形成されていることから、溶液の粘性抵抗とロッド面によりスラスト力が生じ、溝の形成方向（螺旋状の巻回方向）がロッドに対し時計方向か反時計方向かにより、溶液がこのバーの軸方向の前方又は後方のいずれかに移動されること、また、このバーが回転することにより溶液が攪拌されることを見出した。
【００３６】
このように表面に螺旋状の溝が形成された塗工用のバーにより溶液が移動される作用すなわち送液作用は送液ポンプによる作用と類似していることから、本発明では、以下、この作用を「ポンピング作用」といい、この作用による効果を「ポンピング効果」という。
【００３７】
また、上記のバーが回転することにより、溶液が粘着性を有するために溶液がこのバーに絡んで攪拌されるが、このようなバーの機能は、丁度、溶液を作る場合の乳化分散工程における拡散板の機能と類似していることから、この作用を「分散作用」といい、この作用による効果を「分散効果」という。
【００３８】
なお、後述するように、このポンピング効果は、溶液が単なる水溶液では小さいが、溶液が溶剤タイプの塗布液では非常に高くなり、また、塗工用のバーの回転速度が増大するにつれて大きくなることが明らかにされている。
【００３９】
本発明は、上述したポンピング作用とその効果、及び、分散作用とその効果に着目してなされたものであり、本発明によれば下記のとおりの効果が得られる。
【発明の効果】
【００４０】
すなわち、本発明は、上記構成を採ることにより、一般のポンプによる流路内のポンピング効果は給液孔直後が最も有効に作用し、それより離れると流路抵抗により効果が薄れるが、本発明ではマニホールドの内部の全長に亘り塗工用のバーによるポンピング効果が現れることから、全体の部分で一定圧となる。このため、塗布液が給液側マニホールドの内部で滞留することがなくなり、さらに塗工用のバーの分散作用との相乗効果により凝集が防止されてフィラーやノロの発生がなくなり、これにより塗工用のバーの表面が損傷することがなくなる。また、均質な塗布液を塗工用のバーの幅方向全域に亘って均等に付与することができるので、広幅であっても薄層塗付を精密に行うことができる。さらにまた、塗布液を貯留するマニホールドの形状をシンプルにでき、かつ、その大きさを小さくできるので、装置全体をコンパクトにすることができ、これにより安価な装置を提供することができる。
【００４１】
とくに、給液側マニホールド及び排液側マニホールドの内部に、夫々塗工用のバーと実質的に同一な構成から成る第２のバー及び第３のバーが回転可能に設けられ、かつ、排液側マニホールドの内部の圧力が給液側マニホールドの内部の圧力より高く設定されて成る発明では、排液側マニホールドの塗布液を常に間隙ｔから少量ずつ押し出されるように設定することができるため、薄層塗布になっても排液側に還流される液と共に空気が巻き込まれることを防ぐことができ、これにより泡の発生を殆どなくすことができる。
【図面の簡単な説明】
【００４２】
【図１】ワイヤバー塗布ヘッドの一般的な構成を示す正面断面図である。
【図２】（Ａ）（Ｂ）（Ｃ）従来のワイヤバー塗布ヘッドの給液側マニホールド内部における塗布液の挙動を示す平面断面図である。
【図３】従来のワイヤバー塗布ヘッドの給液側マニホールド内部における塗布液の挙動を示す正面断面図である。
【図４】本発明の実施例１及び２に係るワイヤバー塗布ヘッドの正面断面図である。
【図５】（Ａ）（Ｂ）ワイヤバーにおけるワイヤの巻回方向と塗布液の移動方向との関係を示す断面図である。
【図６】本発明の実施例３に係るワイヤバー塗布ヘッドの正面断面図である。
【図７】本発明の実施例４に係るワイヤバー塗布ヘッドの平面断面図である。
【図８】本発明の実施例５に係るワイヤバー塗布ヘッドの正面断面図である。
【図９】本発明の実施例６に係るワイヤバー塗布ヘッドの正面断面図である。
【図１０】本発明の実施例７に係るワイヤバー塗布ヘッドの正面断面図である。
【発明を実施するための形態】
【００４３】
以下、本発明の内容をワイヤバー塗布ヘッドを例とした実施例に基づき説明する。なお、本発明は必ずしも以下の実施例に限定されるものではなく、特許請求の範囲を逸脱しない範囲において、その構成を種々変更できることはいうまでもない。
【実施例１】
【００４４】
塗工用のワイヤバーにおけるワイヤの巻回方向と塗布液の挙動との関係につき、実験装置として図４に正面断面図で示すようなオープンタイプのワイヤバー塗布ヘッド２００を製作し、これを用いて次のような確認実験を行った。
【００４５】
このワイヤバー塗布ヘッド２００は、直径が１００μｍのワイヤ２０１を直径８ｍｍのロッド２０２に密着巻回してなる長さ４００ｍｍのワイヤバー２０３を、基台２０４に立設したバックアップ２０５の上部に回転自在にセツトし、バックアップ２０５の上流側及び下流側に、給液側コータブロック２０８及び排液側コータブロック２０９を介して夫々給液側マニホールド２０６及び排液側マニホールド２０７を形成して成るものである。
【００４６】
このワイヤバー塗布ヘッド２００を用い、給液側マニホールド２０６及び排液側マニホールド２０７にポリエステル系からなる溶剤系の塗布液２１１を塗布液供給孔２１０より供給し、回転手段（図示せず）によりワイヤバー２０３を矢印Ｎ方向に回転速度３００ｒｐｍで回転させて、塗布液２１１の挙動を当装置の上方から見て確認したところ、ワイヤ２０１がロッド２０２に対し螺旋状に巻回されていることから、ワイヤバー２０３の回転に伴い、ワイヤ２０１面と塗布液２１１の粘着抵抗によりスラスト力がワイヤバー２０３の軸方向に作用し、塗布液２１１がワイヤバー２０３の軸方向に移動するようになること、この塗布液２１１の移動方向、すなわちスラスト力の作用方向は、ワイヤ２０１の巻回方向により異なり、図５（Ａ）に示すように、矢印Ｎ方向（右側面から見て時計方向）に回転するロッド２０２に対し、ワイヤ２０１が同方向（図示するＷ’方向）に巻回されている場合には矢印Ｆ’で示す図の右手方向に、（Ｂ）で示すように、矢印Ｎ方向（右側面から見て時計方向）に回転するロッド２０２に対し、ワイヤ２０１が反時計方向（図示するＷ方向）に巻回されている場合には矢印Ｆで示す図の左手方向であること、及び、ワイヤバー２０３が回転することにより塗布液２１１が攪拌されるようになること、すなわち前述したようにワイヤバー２０３のポンピング作用によるポンピング効果が得られることが確認された。
【００４７】
また、上述した塗布液２１１の移動は、ワイヤバー２０３のポンピング作用を給液方向と逆方向に作用させたときは、塗布液供給孔２１０からのポンピング作用とワイヤバー２０３によるポンピング作用とにより塗布液２１１がぶつかり合って、進行方向が給液方向と一致したり逆方向となったりして前後の乱れが不安定となり、これが淀みを作っている原因となることも確認された。
【００４８】
さらにまた、上述した塗布液２１１の移動は、当該塗布液２１１の粘度が５〜１０ｃｐｓ程度のものであっても大きく移動し、さらに当該塗布液２１１が溶剤タイプのものほど顕著となり、単なる水溶液ではスラスト力による移動は極めて小さいことが判明した。
【００４９】
なお、塗布液２１１は給液側マニホールド２０６の底壁に近い位置に淀むため、塗布液供給孔２１０は、極力、この底壁付近に設けることが好ましいことも究明されている。
【実施例２】
【００５０】
次に、この塗布ヘッド２００を用い、速度２０ｍ／分で連続走行する厚さ１００μｍのＰＥＴ（ポリエチレンテレフタレート）から成るウェブ２１２に上記塗布液２１１を塗布したところ、ワイヤ２０１の巻回方向により、塗布ムラが全く出ないものと多少なりとも出るものとが明確に現れた。そこで、ワイヤ２０１の巻回方向を、塗布液２１１がワイヤバー２０３の回転により生じるスラスト力によって給液側マニホールド２０６の幅方向の一端側から他端側に送られる方向に整合させてワイヤバー２０３を配置し、上記同様に塗布をしたところ、塗膜に塗布ムラが全く出ないことが確認された。
【実施例３】
【００５１】
上記は、オープンタイプのワイヤバー塗布ヘッド２００による塗布幅が４００ｍｍ程度の狭幅塗布についての実験であったが、上記実験により得たワイヤバー２０３のポンピング作用及びこの効果の知見から、このワイヤバー塗布ヘッド２００はクローズドタイプのものでも当然、また、塗布幅が２０００〜３０００ｍｍの広幅であっても所望の塗布が期待できるものとの確信を得、図６に正面断面図で示すような実験装置、すなわちクローズドタイプのワイヤバー塗布ヘッド３００を想定した仮のマニホールドの流路を製作し、これを用いて次のような実験を行った。
【００５２】
この仮の流路は、断面積が６ｃｍ２で１５００ｍｍ長の長さをもち、内部に直径１０ｍｍのワイヤバー３０３を設置できるものである。ワイヤバー３０３の一端は仮の流路の他端側（反給液側）においてクローズド状態で軸受に回転自在に支持され、その他端は仮の流路の他端側（すなわち給液側）から外側に延出し、軸受により回転自在に支持され、その延出端が矢印Ｎ方向に回転するモータＭに連結されている。なお、ワイヤバー３０３は、モータＭが矢印Ｎ方向に回転したときにスラスト力の作用方向Ｆが前述した他端側（給液側）から一端側（反給液側）に働くように配設されている。
【００５３】
この仮の流路には、図示するように、液供給孔３１０の出口から距離Ｌ１の位置に微圧計３（Ｂ３）、距離Ｌ２を置いて微圧計２（Ｂ２）、さらに距離Ｌ３を置いて微圧計１（Ｂ１）が設置されている。
【００５４】
この装置において、液供給孔３１０の出口から微圧計Ｂ３の位置まで（すなわち距離Ｌ１）を１００ｍｍ、液供給孔３１０の出口から微圧計Ｂ２の位置まで（すなわち距離Ｌ１＋距離Ｌ２）を６５０ｍｍ、微圧計Ｂ２位置から微圧計Ｂ１位置まで（すなわち距離Ｌ３）を６５０ｍｍに設定する一方、長さが１６００ｍｍ、直径が１０ｍｍのロッド３０２に直径が２００μｍ及び７５μｍの２種類のワイヤ３０１を夫々巻き幅１４８０ｍｍで巻回して２種類のワイヤバー３０３Ａ、３０３Ｂを製作し、さらに溶液として水溶液３１１Ｗを用いて次のとおりの実験を行った。
【００５５】
先ず、直径が１０ｍｍのロッド３０２に直径が２００μｍのワイヤ３０１を巻回して成るワイヤバー３０３Ａを用い、給液側から静圧４００ｍｍＡｑの水溶液３１１Ｗを液供給孔３１０より給液側マニホールド３０６の内部に供給したところ、給液側マニホールド３０６の内部の圧力は、Ｌ１地点（微圧計Ｂ３の設置位置）で３５０ｍｍＡｑ、Ｌ２地点（微圧計Ｂ２の設置位置）で４００ｍｍＡｑ、Ｌ３地点（微圧計Ｂ１の設置位置）で３８０ｍｍＡｑとなった。この結果につき考察したところ、Ｌ１地点ではワイヤバー３０３Ａの延出部からの液漏れがあり、これにより静圧が低くなっていることが判明し、またＬ３地点ではマニホールド内の壁面との抵抗で静圧が低くなっていることが推定された。このことから、マニホールドが２０００ｍｍないし３０００ｍｍとなる狭い流路を有するものとなると、液供給孔３１０から離れた地点ではさらに静圧が低くなることが推定された。
【００５６】
そこで、この状態でワイヤバー３０３Ａのポンピング効果をみるために、ワイヤバー３０３Ａを１００ｒｐｍで回転させたところ、約３０秒でＬ２地点及びＬ３地点で静圧が４６０ｍｍＡｑに上昇したが、Ｌ１地点では４００ｍｍＡｑまでしか上がらず、液漏れをカバーすることができなかった。そこで、Ｌ２地点では問題がないことから、Ｌ１地点を液供給孔３１０から離し、距離Ｌ１を３００ｍｍとして同様に実験を行ったところ、表１に示すように、微圧計Ｂ１、Ｂ２、Ｂ３が設置される全ての地点で静圧が４６０ｍｍＡｑとなった。このことから、ワイヤバー３０３Ａの延出部から多少の液漏れがあっても、塗布地点から給液位置を多少ずらすことにより、換言すれば、ワイヤバー３０３Ａの延出部を塗布部から離すことにより、全領域に均一な溶液を行き亘らせることができることが実証された。
【００５７】
また、直径が１０ｍｍのロッド３０２に直径が７５μｍのワイヤ３０１を巻回して成るワイヤバー３０３Ｂを用い、上記と同様の実験を行ったところ、表１に示すとおりの結果が得られた。
【００５８】
【表１】
2011088098.tif 000003
表１から明らかなように、このワイヤバー塗布ヘッド３００の結果から、前述したポンピング効果により、２０００〜３０００ｍｍ幅の幅方向における静圧を、位置とは無関係に、常に一定とすることができること、換言すれば、長さが２０００ｍｍないし３０００ｍｍの長大塗布ヘッドであっても全幅に亘り溶液を均一に供給できること、また、ワイヤ３０１の径が大きくなるとポンピング効果が増大され、送液量が変えられること、また、クローズド系の中では見かけ上の静圧が高められることが実証された。
【００５９】
また、回転数を±５％の範囲で変えてみた限りでは、静圧は殆ど変化がなかったのに対し、ワイヤ３０１の径を２００μｍのままとし、回転数を１００ｒｐｍから半分の５０ｒｐｍに下げてみると、静圧が４２０ｍｍＡｑ程度までにしか上がらないことも確認された。このことから、ワイヤバー３０３の回転速度を高くするほど溶液の移動が大きく変化することが判明した。
【００６０】
また、（塗布をしていない状態で）ワイヤバー３０３の回転を続けていても、同じ回転速度では一定以上圧力は上がらず、このことから分散効果のみ持続できることが判った。この効果は、ポンピング効果と並び、本発明の特徴的な効果といえるものである。
【００６１】
なお、以上は溶液が水溶液３１１Ｗである場合であるが、この溶液が実施例１と同様の溶剤系の塗布液であっても、上述の作用効果には何らの変化がないことも明らかにされている。
【実施例４】
【００６２】
本発明者は、前述したポンピング効果に鑑み、上記ワイヤバー塗布ヘッド３００を改良することにより、さらに均質な塗布液３１１をワイヤバー３０３に均等に付与できる、次のようなワイヤバー塗布ヘッド４００を考案した。
【００６３】
すなわち、このワイヤバー塗布ヘッド４００では、前記ワイヤバー塗布ヘッド３００における給液側マニホールド３０６の幅方向の前壁に、図７に平面断面図で示すように、スラスト力の作用方向Ｆ（図７の右から左方向）に供給孔を向けて、塗布液供給孔４１０と実質的に同一の構成から成る３つの塗布液供給孔４１０Ａ、４１０Ｂ、４１０Ｃが略等間隔に配設されており、塗布液４１１が給液側マニホールド３０６の幅方向の一端側壁に設けられた塗布液供給孔４１０から内部に供給されると共に、これら３つの塗布液供給孔４１０Ａ、４１０Ｂ、４１０Ｃからも塗布液４１１が供給されるように構成されている。
【００６４】
このように構成されたこのワイヤバー塗布ヘッド４００を用い、上記同様に装置を作動させて塗布液４１１の挙動を確認したところ、内部に供給された塗布液４１１が一層順調に幅方向の一端側から他端側に送られるようになり、塗布液４１１が給液側マニホールド４０６の内部に滞留する現象は全く見られなかった。
【００６５】
因みに、３つの塗布液供給孔４１０Ａ、４１０Ｂ、４１０Ｃの向きをスラスト力の作用方向Ｆと反対方向（図７の左から右方向）に設定して塗布液４１１を給液側マニホールド４０６の内部に供給したところ、塗布液４１１が底壁側に淀む現象が見られた。
【００６６】
なお、本実施例では３つの塗布液供給孔４１０Ａ、４１０Ｂ、４１０Ｃを設けたが、この数は特に限定されるものではなく、これが１つであっても有効であることが本発明者によって明らかにされている。また、各塗布液供給孔４１０Ａ、４１０Ｂ、４１０Ｃの向きは、塗布液４１１が送られる矢印Ｆ方向と完全に一致させる必要はなく、略近似する方向であっても目的を十分達成することができる。
【実施例５】
【００６７】
また、本発明者は、前述したポンピング効果に鑑み、鋭意研究した結果、上記ワイヤバー塗布ヘッド４００とは別の改良タイプに係る、次のようなワイヤバー塗布ヘッド５００を考案した。
【００６８】
すなわち、このワイヤバー塗布ヘッド５００は、図８に正面断面図で示すように、直径７５μｍのワイヤ５０１を直径８ｍｍのロッド５０２に密着巻回してなる長さ１５００ｍｍの塗工用のワイヤバー（第１のワイヤバー）５０３が、モータＭにより矢印Ｎ方向に回転数８００ｒｐｍで回転するようにし、給液側マニホールド５０６の幅方向の一端側壁に設けた塗布液供給孔（図示せず）から塗布液５１１を内部に供給し、ワイヤバー５０３の回転に伴ってこの塗布液５１１が上部に引き上げられるように構成する一方、給液側マニホールド５０６の内部に、塗工用のワイヤバー５０３と実質的に同一の構成を有する第２のワイヤバー５２３をバックアップ５２４により回転自在に支持して成っている。
【００６９】
このワイヤバー５２３は、直径１００μｍのワイヤ５０１を直径８ｍｍのロッド５０２に巻回してなる長さ１５００ｍｍのもので、基台５０４に立設したバックアップ５２４の上部にセツトされている。図示はしないが、この軸部の両端は軸受により回転自在に軸支され、延出する軸端に塗工用のワイヤバー５０３とは別の駆動系でスピードコントロールできるモータと連結するようになっており、給液側マニホールド５０６内でのポンピング効果が最適にできるように、塗布時は塗工用のワイヤバー５０３と連動して回転するような制御となっている。
【００７０】
このように構成されたこのワイヤバー塗布ヘッド５００を用い、前記実施例と同様に連続走行するウェブ５１２に塗布液５１１を塗布する実験を行ったところ、給液側マニホールド５０６の内部において、塗工用のワイヤバー５０３及び第２のワイヤバー５２３によって塗布液５１１が積極的に送液方向（矢印Ｆ方向）に移動すると共に攪拌されるようになり、これにより長時間の塗布を行っても、塗布液５１１が給液側マニホールド５０６の内部に滞留、凝縮してノロを発生したり、フィラーが大粒子化したりすることがなく、ムラや傷等のない良質の塗膜が得られた。
【実施例６】
【００７１】
上記実施例５では、第２のワイヤバー５２３を給液側マニホールド５０６の内部に設けたが、これを次のワイヤバー塗布ヘッド６００のように排液側マニホールド５０７の内部に設けることも可能である。
【００７２】
すなわち、このワイヤバー塗布ヘッド６００は、図９に正面断面図で示すように、基台６０４のウェブ６１２走行方向における中央部に立設され、塗工用のワイヤバー６０３を回転自在に支持するバックアップ６０５と、バックアップ６０５の上流側及び下流側に夫々給液側マニホールド６０６及び排液側マニホールド６０７を形成する給液側コータブロック６０８及び排液側コータブロック６０９から成る塗布ヘッドにおいて、排液側マニホールド６０７の上方の空間部に、前記実施例５と同様に、塗工用のワイヤバー（第１のワイヤバー）６０３と実質的に同一の構成を有する第２のワイヤバー６３３をバックアップ６３４により回転自在に支持して成っている。
【００７３】
このように構成された本ワイヤバー塗布ヘッド６００においては、塗布された後の余剰の塗布液６１１はリターンして排液側マニホールド６０７の内部の塗布液６１１と混合される。このリターン液は原液に較べ溶剤が蒸発しているため凝集が発生し易くなっているのが実体である。このとき、本ワイヤバー塗布ヘッド６００では排液側マニホールド６０７の内部に設けられた第２のワイヤバー６３３のポンピング効果と分散効果により塗布液６１１が均質化され、これによりノロの発生やフィラーの凝集による大粒子化を防止でき、塗布用のワイヤバー６０３の損傷をより確実に防止することができる。
【００７４】
同時に、排液側マニホールド６０７にも新液は送られてきてはいるが、塗工用のワイヤバー６０３の回転により新液と余剰液の混合したものが塗布液６１１として一部供給側マニホールド６０６へ移動する。そのため、排液側マニホールド６０７の内部は塗布液６１１が不足がちになり、見かけ上、供給側マニホールド６０６の内部の圧力が低くなっている状態になる。ウエット膜厚が５μｍ以下の薄層塗布では余剰液の大部分が排液側マニホールド６０７の内部に引き込まれることになり、このとき余剰の塗布液６１１の表層部に付着する空気層が流入し易くなる。
【００７５】
しかし、塗工用のワイヤバー６０３を設け、これを別のスピードコントロールモータにより適正に回転させることにより、このポンピング効果で塗布液６１１の不足分を補充し、かつ新液と余剰液を攪拌して均一化し、無害な状態として供給側に供給し、同時に前述した間隙ｔを通して外部に一部を押し出すことにより、余剰液表層部の空気が流入することを防止できるという、別の効果が期待できることが確認されている。
【実施例７】
【００７６】
ところで、ワイヤバー塗布方式においては、とくにウエット膜厚が５μｍ以下の薄層の塗布の状態で、ワイヤバーと連続走行するウェブとの接触面に、塗布液が発泡して泡が付着し、これにより塗膜の品質が損なわれるという特有の問題があることは前述したとおりである。この点について上述した実施例に係るワイヤバー塗布ヘッドについて考察してみると、上記ポンピング作用及びその効果により泡の発生程度は減少されるものの、懸念が全くないとはいえないのが実情である。
【００７７】
前述したように、このような泡の発生原因は、排液側マニホールドの内部の塗布液が不足がちになり、排液側マニホールドの内部の圧力が給液側マニホールドの内部の圧力よりも常に低い状態になっていることにあると考えられることから、本発明者は、排液側マニホールドの内部の圧力を給液側マニホールドの内部の圧力よりも常に高くなるようにするため、塗布液の供給量が多くなるようにして排液側マニホールドから常に一定量の塗布液が押し出されるようにすれば、このような泡の発生は一層防止できるのではと考え、図１０に正面断面図で示すようなワイヤバー塗布ヘッド７００を考案した。
【００７８】
このワイヤバー塗布ヘッド７００は、前述したワイヤバー塗布ヘッド５００及びワイヤバー塗布ヘッド６００の相乗効果を狙ったもので、図示するように、給液側マニホールド７０６の内部に第２のワイヤバー７２３がバックアップ７２４により、また、排液側マニホールド７０７の内部に第３のワイヤバー７３３がバックアップ７３４により、夫々回転自在に支持されている。ここでは、第２のワイヤバー７２３及び第３のワイヤバー７３３とも、そのポンピング効果を利用してワイヤバー塗布ヘッド７００の全長に均一な塗布液７１１が行き亘るようにされている。
【００７９】
また、排液側マニホールド７０７内の第３のワイヤバー７３３は給液側マニホールド７０６内の第２のワイヤバー７２３より送液量が多少多くなるように設定されて、薄層塗布時でも排液側マニホールド７０７内の塗布液７１１が外部に多少押し出されるようにされ、これにより余剰液の表層における空気層の流入が防止され、塗布時に泡が発生しないように図られている。そのために、第２のワイヤバー７２３にワイヤ径が１００μｍのものを、また第３のワイヤバー７３３にワイヤ径が１５０μｍのものを用い、１００ｒｐｍで回転したとき、クローズド状態で、排液側マニホールド７０７内の圧力が給液側マニホールド７０６内の圧力より約３０ｍｍＡｑ程度高くなるようなポンピング効果が企図されている。
【００８０】
この状況において、塗工用のワイヤバー（第１のワイヤバー）７０３に、ウエット膜厚で５μｍ程度を狙って直径が７５μｍのワイヤを密着巻回したものを用い、塗布速度を２０ｍ／分に設定し、第２のワイヤバー７２３及び第３のワイヤバー７３３を１００ｒｐｍで回転して実験を行った結果、第２のワイヤバー７２３及び第３のワイヤバー７３３を回転させた場合、塗布サンプルに殆ど泡が見られなかったが、第３のワイヤバー７３３を停止させた場合には塗布サンプルにかなりの泡故障が散見された。この結果から、薄層塗布時に塗布液７１１が余剰液表層部の空気層と共に排液側マニホールド７０７内に引き込まれないようにすることで発泡問題は大部分が解消されることが立証された。
【００８１】
以上、本発明の内容を、連続走行するウェブに塗布液を塗布する塗工用のバーがワイヤバーである実施例１から実施例６に基づき説明したが、本発明は塗工用のバーがこのようなワイヤバーに限定されるものでなく、例えば、転造バー、その典型例であるＤ−バー（オーエスジーシステムプロダクツ株式会社の商品名）を適用することができる。これらのバー部材はロッドの外周に螺旋状の溝が形成されて成るもので、ワイヤをロッドに螺旋状に密着巻回して成る上述したワイヤバーと構成を共通にし、このワイヤバーと実質的に同一の作用効果を奏するものである。よって、これらのバー部材は、塗布液を移動、攪拌する目的で、すなわちポンピング効果及び分散効果を意図して使用される前記第２及び第３のワイヤバーの代用となり得ることはいうまでもない。なお、このような第２及び第３のワイヤバーの代用となり得る部材には、シャフト（ロッド）上にスクリューを螺旋状に刻設して成るネジ部材又はこれと類似する部材を適用することができる。
【符号の説明】
【００８２】
１００、２００、３００、４００、５００、６００、７００  ワイヤバー塗布ヘッド
１０１、２０１、３０１、４０１                          ワイヤ
１０２、２０２、３０２、４０２                          ロッド
１０３、２０３、３０３、４０３、５０３、６０３、７０３  ワイヤバー
１０４、２０４、５０４、６０４、７０４，                基台
１０５、２０５、５０５、６０５、７０５                  バックアップ
１０６、２０６、３０６、４０６、５０６、６０６、７０６  給液側マニホールド
１０７、２０７、３０７、４０７、５０７、６０７、７０７  排液側マニホールド
１０８、２０８、５０８、６０８、７０８                  給液側コータブロック
１０９、２０９、５０９、６０９、７０９                  排液側コータブロック
１１０、４１０                                          塗布液供給孔
１１１、２１１、４１１、５１１、６１１、７１１          塗布液
１１２、２１２、５１２、６１２                          ウェブ
３１１Ｗ                                                水溶液
５２３、６２３、６３３、７３３                          （第２、３の）ワイヤバー
Ｍ                                                      モータ
Ｐ                                                      （塗布液の）淀み
【図１】
2011088098.tif 000004
【図２】
2011088098.tif 000005
【図３】
2011088098.tif 000006
【図４】
2011088098.tif 000007
【図５】
2011088098.tif 000008
【図６】
2011088098.tif 000009
【図７】
2011088098.tif 000010
【図８】
2011088098.tif 000011
【図９】
2011088098.tif 000012
【図１０】
2011088098.tif 000013